(57)【要約】本発明の目的は、例えば四肢の伸長や短縮のシミュレーションが伸縮自在構造を構成することによって行われる装置であり、その相互摺動、つまり伸長または短縮は１個以上の並列に並べたプーリの形状に成形した円盤から繰り出し、巻き戻される糸によって制御される。反撥力を有するばねの作用も利用する。たくさん遊ぶ＝たくさん成長する（つまり、たくさん振り動かせばたくさん成長する）、という等式に従って、玩具を振り動かす、すなわち遊ぶことを記憶させた電子回路によって上記スプールの運動は制御される。
2004504901.tif 000002
【特許請求の範囲】
【請求項１】
例えば人形および他の同様な玩具、すなわち小動物やソフト玩具等の操り人形の四肢および／または他の身体部分を伸長させるための装置において、互いに滑動可能なように寸法を決めた、乳房の隆起孔（３０）を設けた上部外装部（１５）および下部外装部（１２）と、伸縮自在管式に滑動する部材（３）、（９）を備え、公知の方法で外装部（１２）、（１５）に固着された上肢部（１６）、下肢部（１７）および頭首部（１８）と、乳房を構成する２個の部材（２９）と、該乳房が固着された可動板（２５）と、胴体、四肢および頭首を構成する前記の部材を連結する連結ケーブル（４）、（４Ａ）と、前記伸縮自在管式滑動部材を作動させるためのばね（２）と、前記ケーブル（４）、（４Ａ）を巻き取り、繰り出すためのプーリ（５）と、該プーリ（５）に代替するカム（５Ａ）を備えた円盤と、減速装置（６Ａ）を備えた電気モータ（６）と、電池（８）と、前記モータ（６）の作動と制御する電子回路（７）と、前記乳房が固着された前記可動板（２５）を作動させるウエッジ（２４）と備えたプーリ（５）と、からなることを特徴とする装置。
【請求項２】
玩具が静止状態にあるときには最小寸法にあって、玩具を使用すると電子回路（７）を起動し、該電子回路はモータ（６）にエネルギーを送るように指令を出し、該モータは減速装置（６Ａ）を起動し、該減速装置はプーリ（５）またはカム（５Ａ）を備えた円盤を作動させてばね（２／２Ａ）によって引張られていたケーブル（４／４Ａ）を開放し、それによって伸縮自在管式部材（２）、（９）および（１５）、（１２）の相互間で滑動運動をさせるとともに、ウエッジ（２４‐２４Ａ）を回転させて板（２５）を外側に押し出すことによって胴体から乳房（２９）を隆起させることを特徴とする請求項１記載の例えば人形および他の同様な玩具、すなわち小動物やソフト玩具等の操り人形の四肢および／または他の身体部分を伸長させるための装置。
【請求項３】
プーリ（５）の軸が胴体（１５）の背面部分の面に対して直角をなし、ウエッジ（２４）が前記軸にほぼ直角をなしている板（２５）と連係して適切に機能するようにしたことを特徴とする請求項１または２記載の例えば人形および他の同様な玩具、すなわち小動物やソフト玩具等の操り人形の四肢および／または他の身体部分を伸長させるための装置。
【請求項４】
プーリ（５）の回転軸が軸方向の寸法を減少するために胴体（１５）の背面部に対して平行であり、ウエッジ（２４Ａ）によって同部品が機能するように板（２５）に対してほぼ平行であることを特徴とする請求項１〜３のいずれか１項記載の例えば人形および他の同様な玩具、すなわち小動物やソフト玩具等の操り人形の四肢および／または他の身体部分を伸長させるための装置。
【請求項５】
板（２５）がウエッジ（２４／２４Ａ）によって運動を開始し、胴体（１５）に固着されたピン（２７）によって案内され、ウエッジが位置を変えた瞬間にばね（２６）が乳房（２９）の後退を決定して当初の状態に戻ることを特徴とする請求項１〜４のいずれか１項記載の例えば人形および他の同様な玩具、すなわち小動物やソフト玩具等の操り人形の四肢および／または他の身体部分を伸長させるための装置。
【請求項６】
ばね（２）が部材（９）の点（１．１）と部材（３）の点（３．１）に作用するように保持され、静止位置においては一方が四肢（１６‐１７）、頭首（１８）および下部胴体（１２）によって点（３．２）または（３．２Ａ）に固着され、他方がプーリ（５）の孔（５．１）に連結されたケーブル（４）によって保持されていることを特徴とする請求項１〜５のいずれか１項記載の例えば人形および他の同様な玩具、すなわち小動物やソフト玩具等の操り人形の四肢および／または他の身体部分を伸長させるための装置。
【請求項７】
ばね（２Ａ）が下部外装部（１２）の点（１２．１）と上部胴体（１５）の点（１５．１）に作用し、下部胴体（１２）の点（１２．２）とプーリ（５）の孔（５．１Ａ）とに固着されたケーブル（４Ａ）によって作動位置または静止位置に保持されることを特徴とする請求項１〜６のいずれか１項記載の例えば人形および他の同様な玩具、すなわち小動物やソフト玩具等の操り人形の四肢および／または他の身体部分を伸長させるための装置。
【請求項８】
プーリの溝（２０）、（２１）、（２２）が異なる直径を有することによって、プーリが回転すると各々の溝のケーブル（４）が異なる伸長をすることを特徴とする請求項１〜７のいずれか１項記載の例えば人形および他の同様な玩具、すなわち小動物やソフト玩具等の操り人形の四肢および／または他の身体部分を伸長させるための装置。
【請求項９】
円盤（５Ａ）の異なる半径位置に配置された複数のピン（５．１Ａ）が、それらに連結された複数のケーブル（４）に異なる伸長を与えることを特徴とする請求項１〜８のいずれか１項記載の例えば人形および他の同様な玩具、すなわち小動物やソフト玩具等の操り人形の四肢および／または他の身体部分を伸長させるための装置。
【発明の詳細な説明】
【０００１】
本発明は、例えば半自動式の人形のような操り（パペット）人形の四肢および／または他の身体部分を特定の電子装置の指示に反応して伸長させるために玩具に使用する装置に関するものである。
【０００２】
玩具の分野において、子供たちの想像力を刺激する対象を創作し、玩具をより興味深く、関係をより深めるようにする絶えざる研究が行われてきたことは良く知られている。
【０００３】
例えば人形の分野では、新生児や幼児および大人の音声や動作を、それらで遊ぶ子供がこれらの新生児や大人の母親の役に容易に没入できるように模造したモデルが非常に多く作成されたが、現在に至るまでいかなる人も、簡単で、従って耐久性がありかつ安価な手段を用いて、人形や他の操り人形がその成長をシミュレートするように四肢および／または他の身体部分の長さを変化させることができるような装置を製造し得てはいない。
【０００４】
これを解決する方法は追求されてきたが、発明された機構は外側のカバーを膨張させる空気圧方式や、歯車を備えた機械方式や、以下に一覧を示す特許に記載された他の方式を使用して、複雑でしかも高価であった。
【０００５】
米国特許第４，６２２、０２１号には、外部から引張られる糸に連結された棒が伸長する感じを与えることが記載されている。
【０００６】
米国特許第５，１２５、８６５号には、手動で動くようにした口のくぼみを作ることによって噛む動作をシミュレートし、それによって人形が外部からの手動の動きによって成長するようにした機構が記載されている。
【０００７】
米国特許４，８２８，５２８号には、ベローズ形に縫製された衣服が、糸が引張られると一段づつ膨張して成長する感じを与えることが記載されている。
【０００８】
米国特許第４，２４６，７２２号は、人形の頭部が固着された支柱を動かす内部歯車について記載している。それに必要なエネルギーは、ばね搭載機構を外部から操作することによって手動で供給される。
【０００９】
このように、上記に簡単に記述したことから、記載されている装置は人形やそれに類するものの四肢を成長させるという要求を明確に解決してはいないことが明白である。
【００１０】
本発明の目的は、例えば四肢の伸長または短縮のシミュレーションを伸縮自在管式の構造を構成することによって実現する装置であって、伸長または短縮を生成するための伸縮自在管の滑動は１個あるいはそれ以上の並列に並べたプーリ状に成形した円盤に巻き付けたりあるいは繰り出す糸ないしケーブルと、反撥力を持つばねの作用とによって制御される装置を提供することである。スプールの運動は、たくさん遊ぶ＝たくさん成長する（すなわち、たくさん振り動かせばたくさん成長する）という等式に従って玩具を振り動かす、つまり遊ぶことを記憶させた回路によって制御される。玩具が成長すると、例えば人形が成長すると衣服が小さくなるのでそれを交換する必要性に相当する、さらなる遊びの段階が生み出される。
本装置の実施例は添付図面によって説明される。
【００１１】
後掲の図面を参照すると、例えば四肢の成長のシミュレーションは構成部材（１）によって得られ、該構成部材は熱可塑性樹脂で作成した管形状をなし、その内部は部分（１．１）でばね２を支持し、部分（１．２）で四肢の残部への糊着を支持することによって固定され、もう一方の先端部分（１．３）には構成部材（３）と美的に適正に連結するためにテーパが設けられ、該構成部材（３）は先端部分（３．１）がばね（２）の作用を受けて伸長自在な腕の滑動部分をなし、該ばねは点（３．２）において連結された、あるいは軟らかい金属筒（３．２Ａ）を適切に押し潰して変形させた部分に固定されたケーブル（４）を引き伸ばしたりあるいは引き戻すことによって圧縮されたり開放されたりする。
【００１２】
ケーブル（４）の引き伸ばしあるいは引き戻しは、電池（８）から電力を供給された電子回路（７）によって制御されたモータ（６）によって操作される、ケーブル（４）の固定孔（５．１）を備えたプーリ（５）の動作によって行われる。
【００１３】
構成部材（３）は、延伸自在な器官（３）の前方部分を四肢の残部と接合または糊着によって連結するために継手部（３．３）を備えている。
【００１４】
本発明によれば図１に示すように、四肢や他の身体部分の伸長が必要とされる玩具、例えば人形の内部には、使用者がその玩具を使用したか、手を触れたか、動かしたかを認識する電子制御回路（７）を備えている。このような要件が重要な理由は、使用者が玩具に触ると、玩具の機構によって与えられる成長が殆ど即座に目に見えるからである。
【００１５】
上記のように、電子回路（７）は玩具が振り動かされた回数と頻度を記録する装置を備えている。これらは成長の指令を与えるために使用されるパラメータである。上述の状況のもとに、電子回路（７）が電線（６．１）で連結されている電気モータ（６）に指令と電池（８）から得た必要エネルギーを送り、該モータがプーリ（５）とケーブル（４）を介して延伸自在な器官（３）の先端に連結された減速装置（６Ａ）を起動し、駆動して必要とする伸長量を供給することによって成長が行われる。
【００１６】
電気モータ（６）は電子回路（７）から指令を受けると回転し、図２に示す円盤（５Ａ）またはプーリ（５）上に配置されたカム（５Ａ）を引張ることによって図２．１に示すようにケーブル（４）を弛緩させる。この時はばね（２）はすでに圧縮されてはおらず、拡張して構成部材（３）を動かし、四肢を伸長させる根拠となる。この時点で人形の衣服は短く窮屈になっているので使用者はそれを交換しなければならず、そうすることによって当然するべきことを短時間のうちにそして忘れないように学ぶことになる。
【００１７】
例えば玩具が１００時間使用されなかった場合には、四肢と他の身体部分は収縮して図１の当初の位置に格納され、衣服は急に大きすぎたり長すぎたりするようになって明らかにだらしのない格好を呈することになるように電子回路は調整されている。
【００１８】
図３は胸部の選択的な断面図を示し、図２および図２．１の装置が外側部品（９）と内側部品（３）を構成し、それらは胸部のそれぞれ下側部分と上側部分とに挿入されてから連結されており、ばね（２）は上述の動作によってケーブル（４）によって圧縮されていることが示されている。これらは四肢ならびに玩具の他の身体部分の伸長と収縮のための方法を代表的に示すものである。
【００１９】
さらに図３には、胸部の伸長のための他の方法が示されており、これによればこの身体部分の伸長および収縮はばね（２Ａ）によって得られ、このばねは胸部の下側部分が支持点（１２．２）で固定されている弾性の弱いケーブル（４Ａ）を介してプーリ（５）に直接に連結されているときに、この胸部の上側部分と下側部分の間で作用点（１２．１）と（１５．１）によって圧縮されている。この方法は、胸部の２つの部分が図２および図２．１に示した構成部材と同様に望遠鏡の部品のように互いに滑動し、さらに、これを確実に機能させるために動く糸の間隔がアイドラーピンと摩擦を減少させる軸受とモータの寸法によって適切に決定されるので実施可能である。
【００２０】
図３は腰部について達成した結果を示す図である。
図１には、図２と同じ延伸部材が、プーリ（５）に連結されたケーブル（４）を介して（１５．２）および（１５．３）の両点に接合または糊着され、ばね（２）が圧縮状態か、あるいは延伸位置に向いた状態で、頭首部をも延伸するように示されている。
【００２１】
図４は糸（４）に連結された脚部が腕部よりも伸長が大きくなる理由を示している。同図に見るように、異なる半径を有する複数のプーリがあり、プーリ（２０）はプーリ（２１）より大きい半径を有する。従って、同じ回転数に対してケーブル（４）はプーリ（２１）よりプーリ（２０）に巻き付けられる長さが短い。このような訳で、電子装置（８）がケーブル（４）を弛緩させる指令を出すと、プーリは一定の角度動くのに対して２本のケーブルは異なる長さを繰り出すことになる。
【００２２】
図５は３個のプーリ（２０）、（２１）および（２２）からなるプーリ（５）を示しており、これらは腕、脚または首、あるいはその逆の順序で異なる延伸を生成するように連結されており、同図は該プーリにはさらにウエッジ（２４）が配置されていることを示している。
【００２３】
図７は人形の外装部の縦断面を側面から見た胸部の略図である。同じ部分を上から見た図を図７に示す。両図においてプーリ（５）にはウエッジ（２４）が固着されていることが注目される。プーリが開放状態に向かって回転すると、ウエッジはばね（２６）の作用によって後退位置に保持されていた可動板（２５）を押出し、このばねは、外装部に固定され、係止リング（２８）によって保持されたピン（２７）を囲繞して配置されている。モータ（８）がケーブル（４）を開放するように指令を受けるとこれらは伸長し、またプーリ（５）が回転することによってそれに固着されて存在するウエッジ（２４）が可動板（２５）に接触し、ばね（２６）の作用に打ち勝って可動板（２５）を動かし、ピン（２７）に案内されてウエッジ（２４）と可動板（２５）が図８および図８．１に示される位置に到達し、そこにおいて可動板（２５）に連結された乳房（２９）が開口部（３０）から完全に出現することになる。
【００２４】
図６はプーリ（５）の外側の半径方向に配置されたウエッジ（２４Ａ）を示しており、図９に示すようにモータ軸が可動板（２５）に平行でモータが９０°の角度で動作するような場合には、プーリに連結されたウエッジの位置が変化すると可動板（２５）を押出すようになっている。
【００２５】
図２から、ばね（２）をその中にケーブル（４）を備えて用意し、そしてそのばね（２）を部材（９）の内部に配設し、そして部材（９）と（３）を結合し、上記ケーブルを点（５．１）でプーリ（５）に連結してプーリに巻きつけると全部品が配設されたことになることがわかる。上述の説明は２本の腕、２本の脚、首および胸部前面について同じように適用される。電池と制御用半導体装置は事前に配置してあるので、該玩具は僅かで簡単な操作によって使用の準備ができる。
【図面の簡単な説明】
【図１】人形に適用した本装置の縦断面図である。
【図２】適当な糸によってプーリに連結された腕の詳細を示す縦断面図である。
【図２．１】カムによって円盤に連結された腕の詳細を示す縦断面図である。
【図３】胴体の正面縦断面図である。
【図４】同じ回転角度で２つの異なる程度の伸長を得るための２段プーリを示す正面図および側面図である。
【図５】同じ回転角度で３つの異なる程度の伸長を得るための３段プーリと、１つの面上に配置されたウエッジを示す正面図および側面図である。
【図６】同じ回転角度で４つの異なる程度の伸長を得るための４段プーリと、このプーリの接線上に配置されたウエッジを示す正面図である。
【図７】人形の側面図を示し、図の左側部分は乳房通路孔の一方に近接した断面図であるが、通路孔の詳細内部は断面図示していない。
【図７．１】外装部の上から見た図である。換言すれば、乳房が同様に成長するときの内部の変化を示すように断面を取った人形の胸部である。図の左側部分にある背面部は電気モータの近傍で断面を取ったものであり、右側部分にある正面部は乳房通路孔の近傍で断面を取ったものである。
【図８】前図を上から見た図であり、図の左側部分は電気モータの近傍で断面を取ってあり、右側部分は一方の乳房通路孔の近傍で断面を取ったもので、隆起した乳房を横から示している。
【図８．１】外装部、換言すれば人形の胸部、の側面断面図であり、乳房が成長するときの内部での変化を示すように断面を取ってあり、同図の後部は乳房通路孔近傍で断面を取ってある。
【図９】人形の側面図で、同図の左側部分は電気モータの近傍で断面を取ってあり、右側部分は一方の乳房通路孔の近傍だが、詳細は断面を取っていない。モータとプーリは、回転軸が可動板と胴体の後部にほぼ平行となるように角度をとってある。
【符号の説明】
２　ばね
３　伸縮自在式管滑動部材
４、４Ａ　連結ケーブル
５　プーリ
５Ａ　カム
６　電気モータ
７　電子回路
８　電池
９　伸縮自在式管滑動部材
１２　下部外装部
１５　上部外装部
１６　上肢部
１７　下肢部
１８　頭首部
２４　ウエッジ
２５　可動板
２９　部材
３０　隆起部
【国際公開パンフレット】
2004504901.tif 000003
2004504901.tif 000004
2004504901.tif 000005
2004504901.tif 000006
2004504901.tif 000007
2004504901.tif 000008
2004504901.tif 000009
2004504901.tif 000010
2004504901.tif 000011
2004504901.tif 000012
2004504901.tif 000013
2004504901.tif 000014
2004504901.tif 000015
2004504901.tif 000016
2004504901.tif 000017
2004504901.tif 000018
2004504901.tif 000019
2004504901.tif 000020
2004504901.tif 000021
2004504901.tif 000022
2004504901.tif 000023
2004504901.tif 000024
2004504901.tif 000025
2004504901.tif 000026
2004504901.tif 000027
2004504901.tif 000028
【国際公開パンフレット（コレクトバージョン）】
2004504901.tif 000029
2004504901.tif 000030
【国際調査報告】
2004504901.tif 000031
2004504901.tif 000032
2004504901.tif 000033